(57)【特許請求の範囲】
【請求項１】
多数の透孔を有する前面部の上端が背面側に折曲されて上端平面部が形成された前面板と、前面板の背後に配置され、遮音性を有する背面部の上下端がそれぞれ前面側に折曲されて上面部及び下面部が形成されると共にさらにその下面部の先端が内側に折曲されて下端折曲部が形成された背面板と、前面板の上端平面部と背面板の上面部及び前面板の前面部下端と背面板の下端折曲部を夫々締結し、前面板と背面板とを一体化する締結材と、前面板と背面板との間に収納された吸音材とを備え、更に前面部は下端が背面側に折曲されて下端平面部が設けられ、前記下端折曲部が、前面板の前面部下端及び前記下端平面部により覆われていることを特徴とする防音パネル。
【請求項２】
多数の透孔を有する前面部の下端が背面側に折曲されて下端平面部が形成された前面板と、前面板の背後に配置され、遮音性を有する背面部の上下端がそれぞれ前面側に折曲されて上面部及び下面部が形成されると共にさらにその上面部の先端が内側に折曲されて上端折曲部が形成された背面板と、前面板の前面部上端と背面板の上端折曲部及び前面板の下端平面部と背面板の下面部を夫々締結し、前面板と背面板とを一体化する締結材と、前面板と背面板との間に収納された吸音材とを備え、更に前面部は上端が背面に折曲されて上端平面部が設けられ、前記上端折曲部が、前面板の前面部上端及び前記上端平面部により覆われていることを特徴とする防音パネル。
【請求項３】
前面板の前面部下端又は前面部上端に、縦方向に大なる長孔が穿設され、該長孔に締結材が貫通し締結されてなることを特徴とする請求項１又は２に記載の防音パネル。
【発明の詳細な説明】
【０００１】
【発明の属する技術分野】
本発明は、主として車輌等の走行に伴う騒音を遮音、吸音するために、高速道路や鉄道等の側縁に沿って設置される防音パネルに関するものである。
【０００２】
【従来の技術】
従来、車輌などの走行に伴う騒音を遮音、吸音するための防音パネルとしては、例えば図４の如き防音パネルが用いられている。この図４に示される防音パネルは、前面板ａの上下折曲部ｂ，ｃ及び背面板ｄの上下曲折部ｅ，ｆの重合部分を夫々同一のＹ軸方向の締結材ｇによって締結することにより、前面板ａと背面板ｄとを一体化するものである。
【０００３】
【発明が解決しようとする課題】
しかしながら、図４に示された防音パネルに於いては、前面板ａ及び背面板ｄの上下重合部分が夫々同一のＹ軸方向で締結されるものであるので、直交する軸方向への逃げ場がなくなり、前面板ａの中央部分にたわみが生じて外観が著るしく損なわれるものであった。
【０００４】
そこで、本発明は前面板及び背面板の上下締結部分の締結軸が同一方向にならないようにして締結することによって、直交する軸方向への逃げ場を設けて前面板のたわみが生じる欠点を解消して外観を向上させることに成功したものである。
【０００５】
【課題を解決するための手段】
本発明は、上記目的を達成するために次のような構成としている。即ち、本発明に係る請求項１記載の発明は、多数の透孔を有する前面部の上端が背面側に折曲されて上端平面部が形成された前面板と、前面板の背後に配置され、遮音性を有する背面部の上下端がそれぞれ前面側に折曲されて上面部及び下面部が形成されると共にさらにその下面部の先端が内側に折曲されて下端折曲部が形成された背面板と、前面板の上端平面部と背面板の上面部及び前面板の前面部下端と背面板の下端折曲部を夫々締結し、前面板と背面板とを一体化する締結材と、前面板と背面板との間に収納された吸音材とを備え、更に前面部は下端が背面側に折曲されて下端平面部が設けられ、前記下端折曲部が、前面板の前面部下端及び前記下端平面部により覆われていることを特徴とするものである。
【０００６】
又、請求項２記載の発明は、多数の透孔を有する前面部の下端が背面側に折曲されて下端平面部が形成された前面板と、前面板の背後に配置され、遮音性を有する背面部の上下端がそれぞれ前面側に折曲されて上面部及び下面部が形成されると共にさらにその上面部の先端が内側に折曲されて上端折曲部が形成された背面板と、前面板の前面部上端と背面板の上端折曲部及び前面板の下端平面部と背面板の下面部を夫々締結し、前面板と背面板とを一体化する締結材と、前面板と背面板との間に収納された吸音材とを備え、更に前面部は上端が背面に折曲されて上端平面部が設けられ、前記上端折曲部が、前面板の前面部上端及び前記上端平面部により覆われていることを特徴とするものである。
【０００７】
前記請求項１に記載の発明は、前面板の上端平面部と背面板の上面部及び前面板の前面部下端と背面板の下端折曲部を夫々締結する締結材により、前面板と背面板とを一体化し、又、請求項２に記載の発明は、前面板の前面部上端と背面板の上端折曲部及び前面板の下端平面部と背面板の下面部を夫々締結する締結材により、前面板と背面板とを一体化している。すなわち締結材は、Ｘ軸及びＹ軸の異軸方向に於いて締結され、従来の如く同軸方向に於いて締結材が締結されていないので、前面板の締結部位置に逃げ場を設けることができ、撓みが発生せず、前面板の外観を損なうことがない。
【０００８】
本発明においては、前面板の前面部下端又は前面部上端に、縦方向に大なる長孔を穿設し、この長孔に締結材を貫通して締結するようにすれば、この長孔によって逃げ場が生じるので、撓みの発生を効果的に抑えることができる。
【０００９】
【発明の実施の形態】
以下本発明の実施の形態を図面を参照しながら具体的に説明する。図１は本発明に係る防音パネルの実施の一形態を示す斜視図、図２は図１の主要部の断面図、図３は本発明に係る防音パネルの実施の他の形態を示す主要部の断面図である。
【００１０】
図面において、本発明に係る防音パネルは、前面部１１に多数の透孔１２を有する例えばアルミニュウム合金板等からなる前面板１と、その前面板１の背後に配置された例えば亜鉛メッキ鋼板等からなる遮音性を有する背面板２と、両側面に配置された側面板３とによって閉塞されて箱形となされ、その内部の中空部４内に吸音材５が収納されているものである。
【００１１】
そして、前面板１の透孔１２より中空部４内に入った騒音は吸音材５によって消音されると共に、背面板２に遮断されて騒音が外部に漏れることを防止している。なお、透孔１２は、本形態ではスリット状に穿設されているが、パンチング状に穿設されてもよく、特にその形態は限定されるものではない。
【００１２】
次に、前面板１と背面板２との締結部分について図２に沿って説明する。まず、前面板１には、多数の透孔１２を有する前面部１１の上下端がそれぞれ背面側に折曲されて上端平面部１３及び下端平面部１４が形成されている。
【００１３】
一方、背面板２には、遮音性を有する背面部２１の上下端がそれぞれ前面側に折曲されて上面部２２及び下面部２３が形成されると共にさらにその上面部２２及び下面部２３の先端がそれぞれ内側に折曲されて上端折曲部２４及び下端折曲部２５が形成されている。
【００１４】
そして前面板１の背後に背面板１を配置して箱型に組み立てると共に、前面板１の上端平面部１３と背面板２の上面部２２とを締結材６によりＹ軸方向に締結し、又前面板１の前面部１１下端と背面板２の下端折曲部２５とを締結材６によりＸ軸方向に締結することにより、前面板１と背面板２とが一体化される。
【００１５】
又、この形態とは上下を逆にし、図３に示される如く、前面板１の前面部１１上端と背面板２の上端折曲部２４とを締結材６によりＸ軸方向に締結し、又前面板１の下端平面部１４と背面板２の下面部２３とをＹ軸方向に締結することにより、前面板１と背面板２とを一体化してもよい。本発明に於いては、いずれにしても上下締結部分に於ける締結材６の締結方向が同軸方向にならないことが重要である。
【００１６】
締結材６としては、ボルトナット、リベット、ビス等の一般的なものが使用される。前面板１と背面板２は、解体を考慮して着脱自在に締結しておくのが好ましい。又、前面板１の前面部１１下端をＸ軸方向に締結する場合は、締結材６を締結するための締結孔として、前面部１１下端に縦方向に大なる長孔１５を穿設しておくことによって、前面板１に生ずるたわみの逃げをさらに大きくすることが出来る。若し、前面板１の前面部１１上端をＸ軸方向に締結する場合は、前面部１１上端に設ける締結孔を縦方向に大なる長孔１５とすればよい。
【００１７】
【発明の効果】
以上詳述したごとく、本発明に於いては、締結材は、Ｘ軸及びＹ軸の異軸方向に於いて締結され、従来の如く同軸方向に於いて締結材が締結されていないので、前面板の締結部位置に逃げ場を設けることができ、撓みが発生せず、前面板の外観を損なうことがない。
【００１８】
本発明においては、前面板の前面部下端又は前面部上端に、縦方向に大なる長孔を穿設し、この長孔に締結材を貫通して締結するようにすれば、この長孔によって逃げ場が生じるので、撓みの発生を効果的に抑えることができる。
【００１９】
更に又、前面板と  背面板とが締結材によって着脱自在に締結されていれば  、防音パネルの撤去時において解体が容易であり、廃材のリサイクル工程に支障を来すことがない。
【図面の簡単な説明】
【図１】本発明に係る防音パネルの実施の一形態を示す斜視図である。
【図２】図１の主要部の断面図である。
【図３】本発明に係る防音パネルの実施の他の形態を示す主要部の断面図である。
【図４】従来の防音パネルの断面図である。
【符号の説明】
Ａ    防音パネル
１    前面板
１１  前面部
１２  透孔
１３  上端平面部
１４  下端平面部
１５  長孔
２    背面板
２１  背面部
２２  上面部
２３  下面部
２４  上端折曲部
２５  下端折曲部
３    側面板
４    中空部
５    締結材
【図１】
0003868185.tif 000002
【図２】
0003868185.tif 000003
【図３】
0003868185.tif 000004
【図４】
0003868185.tif 000005